(57)【要約】本発明では、無線通信ネットワークのアクセスポイントの保守運用方法と、そのようなネットワークで使用するネットワークノードとアクセスポイントを説明する。アクセスポイントは、無線ネットワークをコアネットワークに接続するために使用される。その方法は、まず、ネットワークノードで、オンデマンドでトリガされた、アクセスポイントアイデンティティを含む状態情報要求そ受信する工程を備える。そのネットワークノードは、受信したアクセスポイントアイデンティティを使用して、アクセスポイントがネットワーク内に登録されているかどうかを調査する。そのアクセスポイントがネットワーク内に登録されている場合、まず続く工程として、そのネットワークノードは、アクセスポイントアイデンティティを使用して、アクセスポイントアドレス情報を格納手段から取り出す。続く第２の工程として、そのネットワークノードは、取り出されたアドレス情報を使用して、アクセスポイントへの接続を確立する。その後、ネットワークノードは、アクセスポイント状態情報を受信する。最後の工程として、アクセスポイント状態情報を含む応答がエンドユーザに送信される。
2009539303.tif 000002
【特許請求の範囲】
【請求項１】
無線通信ネットワーク（１）において、複数の無線通信ネットワーク（８）をコアネットワーク（２）に接続する複数のアクセスポイント（５）の保守運用方法であって、
前記方法は、
アクセスポイント（６）の状態情報についての要求であり、エンドユーザにより開始され、オンデマンドでトリガされる、前記アクセスポイント（６）のアイデンティティ情報を含む要求を受信する工程と、
前記アクセスポイント（６）が前記ネットワーク（１）に登録されているかどうかを前記受信されたアクセスポイントのアイデンティティ情報を使用して調査する工程とを有し、
前記アクセスポイント（６）が前記ネットワーク（１）に登録されているなら、
前記アクセスポイントのアイデンティティ情報を用いてアクセスポイントアドレス情報をデータベースから取り出す工程と、
前記取り出されたアクセスポイントアドレス情報を用いて前記アクセスポイント（６）への接続を確立する工程と、
アクセスポイント状態情報を受信する工程と、
前記エンドユーザに応答メッセージを送信する工程とを実行することを特徴とする方法。
【請求項２】
前記調査する工程が、前記アクセスポイント（６）が前記ネットワーク（１）に登録されていないことを明らかにするなら、
前記要求に対して、失敗メッセージとアクセスポイントの登録要求との内の少なくともいずれかを含む応答を送信する工程をさらに有することを特徴とする請求項１に記載の方法。
【請求項３】
前記応答メッセージは前記アクセスポイント状態情報を含むことを特徴とする請求項１に記載の方法。
【請求項４】
前記確立された接続からの切断がなされたとき、前記アクセスポイントは、例えば、ただ局所的にのみ警告、カウント、ログを格納するなどの以前の動作モードに復帰することを特徴とする請求項１に記載の方法。
【請求項５】
前記複数のアクセスポイント（５）は、複数の無線フェムトネットワークをコアネットワークに接続するフェムト無線基地局、或は、Ｈ３ＧＡＰとして言及されるホーム３Ｇアクセスポイントであることを特徴とする請求項１に記載の方法。
【請求項６】
前記ネットワークノードは、特定の要求メッセージにより直接アドレスされて起動される電子機器の顧客ケアサービスプログラムに接続され、
前記要求メッセージはアプリケーションを起動／トリガするために必要とされる特定部を含むことを特徴とする請求項１に記載の方法。
【請求項７】
前記ネットワークノードは、Ｈ３ＧＡＰマネージャ（１３）、運用支援システムノード、或は、前記無線通信ネットワークに分散配置された機能を含むノードであることを特徴とする請求項１に記載の方法。
【請求項８】
前記Ｈ３ＧＡＰは少なくとも１つのフェムト無線ネットワーク制御装置（１１）（フェムトＲＮＣ）を介してコアネットワーク（２）に接続されることを特徴とする請求項５に記載の方法。
【請求項９】
前記複数のアクセスポイント（５）は、起動時に、自動的にフェムトＲＮＣに登録し、構成データをダウンロードすることを特徴とする請求項８に記載の方法。
【請求項１０】
前記複数のアクセスポイントと前記フェムト無線ネットワーク制御装置（フェムトＲＮＣ）との間の接続は、インターネット（ＩＰ）に基づいた接続であることを特徴とする請求項８に記載の方法。
【請求項１１】
前記アクセスポイントアドレス情報は、インターネット（ＩＰ）アドレス、或は、前記アクセスポイントを制御するフェムトＲＮＣのアドレスであることを特徴とする請求項８に記載の方法。
【請求項１２】
前記フェムトＲＮＣからＨ３ＧＡＰに送信される要求は、拡張Ｉｕｂインタフェース（Ｉｕｂ＋）の一部であることを特徴とする請求項８に記載の方法。
【請求項１３】
前記オンデマンドでトリガされる要求は発呼したり前記ネットワークノードにメッセージを送信するエンドユーザにより開始され、
前記エンドユーザは、
移動体と、
コンピュータと、
従来の電話サービス（ＰＯＴＳ）と、
前記アクセスポイントのボタンの
内の１つを用いることを特徴とする請求項１に記載の方法。
【請求項１４】
無線ネットワーク（８）をコアネットワーク（２）に接続する複数のアクセスポイント（５）を有する無線通信ネットワーク（１）のネットワークノード（４０）であって、
前記ネットワークノード（４０）は、
オンデマンドでトリガされる要求であり、アクセスポイント（６）のアイデンティティを含むアクセスポイント状態情報の要求を受信する第１の受信機（４１）と、
前記受信したアクセスポイントのアイデンティティを用いて、前記アクセスポイント（６）が前記ネットワーク（１）内に既に登録されているかどうかを調査し、前記アクセスポイント（６）が前記ネットワーク（１）内に登録されている場合、アクセスポイントアドレス情報を取り出す調査取り出し機器（４２）と、
前記取り出されたアクセスポイントアドレス情報に基づいて、前記アクセスポイント（６）への接続をセットアップする接続確立機器（４３）と、
アクセスポイント状態情報を受信する第２の受信機（４４）と、
前記オンデマンドでトリガされる要求に対して、前記アクセスポイントアドレス情報を含む応答を送信する応答機器（４５）とを有することを特徴とするネットワークノード。
【請求項１５】
前記ネットワークノードは、単体のノード、Ｈ３ＧＡＰマネージャ、無線ネットワーク制御装置（３）の一部、前記コアネットワーク（２）の一部、或は、前記無線通信ネットワーク（１）の分散配置された機能であることを特徴とする請求項１４に記載のネットワークノード。
【請求項１６】
フェムトＲＮＣ（３０）を介して狭いエリアの無線通信ネットワーク（８）をコアネットワーク（２）に接続するアクセスポイント（２０）であって、
前記アクセスポイントは、
初期起動時に、前記アクセスポイント（２０）を登録するため前記フェムトＲＮＣ（３０）へ登録メッセージを送信する登録機器（２１）と、
前記フェムトＲＮＣ（３０）から構成データをダウンロードするダウンロード機器（２２）と、
アクセスポイントアイデンティティ情報を含む、オンデマンドでトリガするアクセスポイントに関する状態情報の要求を開始するトリガ機器（２３）と、
前記要求をネットワークノード（４０）に送信し、前記ネットワークノード（４０）がオンデマンドで前記アクセスポイント（２０）の状態チェックを実行するよう要求する送信機（２４）と、
前記オンデマンドでトリガされた要求に応答して送信される、アクセスポイント状態情報を含む応答を受信する受信機（２５）とを有することを特徴とするアクセスポイント。
【請求項１７】
前記アクセスポイント（２０）は、前記アクセスポイント状態情報を含む受信応答を表示するディスプレイ（２６）を有することを特徴とする請求項１６に記載のアクセスポイント。
【請求項１８】
前記アクセスポイント（２０）はホーム３Ｇアクセスポイント（Ｈ３ＧＡＰ）であることを特徴とする請求項１６に記載のアクセスポイント。
【請求項１９】
前記ネットワークノード（４０）はＨ３ＧＡＰマネージャ（１３）であることを特徴とする請求項１６に記載のアクセスポイント。
【請求項２０】
前記アクセスポイントと前記フェムトＲＮＣ（３０）との間の接続は、インターネットプロトコル（ＩＰ）に基づく接続であることを特徴とする請求項１６に記載のアクセスポイント。
【請求項２１】
前記アクセスポイントアドレス情報は、インターネットプロトコル（ＩＰ）アドレス、或は、前記アクセスポイント（２０）を制御する前記フェムトＲＮＣ（３０）のアクセスであることを特徴とする請求項１６に記載のアクセスポイント。
【請求項２２】
前記受信機は、状態チェックが実行される前に、そして、前記応答を受信する前に、前記アクセスポイント（２０）にアプリケーション（４６）に接続するよう要求するメッセージを受信することを含むことを特徴とする請求項１６に記載のアクセスポイント。
【請求項２３】
前記メッセージはＩｕｂインタフェースの拡張部に従って前記フェムトＲＮＣから受信することを特徴とする請求項２２に記載のアクセスポイント。
【請求項２４】
前記アクセスポイント（２０）は無線基地局であることを特徴とする請求項２２に記載のアクセスポイント。
【発明の詳細な説明】
【技術分野】
【０００１】
本発明は無線通信ネットワークに関し、特に、無線通信ネットワークのアクセスポイントの保守運用のための方法および装置に関する。
【背景技術】
【０００２】
本発明は、無線通信ネットワークに関する。このようなネットワークでは、ネットワークがカバーする地理的エリアは、それぞれがノードを有するセルに分割される。既存のネットワークでは、これらのノードは、無線基地局（ＲＢＳ）または３ＧＰＰ技術仕様書で呼ばれるようにノードＢと表現される。セル内の移動体端末への通信と移動体端末からの通信は、セルに割り当てられた１つ以上の周波数チャネルを通じてノード経由で行われる。広帯域符号分割多元接続（ＷＣＤＭＡ）ネットワークの無線基地局（ＲＢＳ）は、無線アクセスネットワーク（ＲＡＮ）の一部である。
【０００３】
セルは異なるタイプでもよい。例えば、広いエリアカバレッジを提供するために、ネットワークでマクロセルが使用される。容量を増やすために、多くのネットワークでマイクロセルが展開される。１つのマクロセルのカバレッジエリア内に、１つ以上のマイクロセルがあってもよい。
【０００４】
階層的なセルラ通信システムでは、広いカバレッジ（マクロセル）に基本サービスを提供し、狭いエリア（マイクロセル）に高品質大容量の無線カバレッジを提供するために、異なるサイズのセルを用いる。マイクロセルは、特定のエリアで役に立つ。例えば、マイクロセルは、マクロセル内のトラフィックの集中するエリアにサービスを行うために、または高データレートのサービスを提供するために、設置されてもよい。マイクロセルは、高さの低いアンテナと小さい基地局送信電力とを使用してセルを小さくし、周波数再使用距離を短くし、それによって、容量を増やす。小さなセルのさらなる利点には、ユーザの通話時間（バッテリー使用時間）が長くなることが含まれる。その理由は、移動機は、大きなマクロセル内の遠くにありそうな基地局との通信より、マイクロセルの無線基地局（ＲＢＳ）との通信では実質的に小さなアップリンク送信電力の使用ですみそうだからである。
【０００５】
階層セル構造（ＨＣＳ）では、マクロセルとマイクロセルは、様々なトラフィックパターンまたは無線環境を扱うために、通常重なり合う。マイクロセル基地局は、デジタル伝送回線を通してマクロセル基地局に接続されてもよいし、また、まるでマクロセルのように扱われて、基地局制御装置ノードに直接接続されてもよい。このような制御ノードは、周知の汎欧州デジタル移動電話方式（ＧＳＭ）システムでは基地局制御装置（ＢＳＣ）であり、第３世代の広帯域符号分割多元接続（ＷＣＤＭＡ）システムでは無線ネットワーク制御装置（ＲＮＣ）である。マクロセルとマイクロセルに関する詳細情報については、ここで参照によって本願に組み込まれる特許文献１を参照されたい。
【０００６】
隣接セルが共通の周波数チャネルを有する場合、セル境界を横切る端末は、あるセルから別のセルへの“ソフト”ハンドオーバと呼ばれるものを経験する。即ち、その端末は同じ周波数帯を使用し続ける。周波数の変更を必要とするハンドオーバは、“ハード”ハンドオーバと呼ばれる。
【０００７】
現在の無線ネットワークには、運用支援システム（ＯＳＳ）または保守運用（Ｏ＆Ｍ）がある。ＯＳＳは、故障、性能、機密保護、構成等などの特定の管理機能を支援するネットワーク管理システムとして記載されてもよい。ＯＳＳは、例えば、マクロ無線基地局やマイクロ無線基地局などの管理に使用される。計画ツールが、無線ネットワークを特定の大きさに作るために使用される。
【０００８】
図１は、既存のＷＣＤＭＡネットワークにマクロＲＢＳをもう１つ追加する手順に関連する管理作業について、単純化した概要を示す信号図である。
【０００９】
１．最初に、マクロネットワークへのＲＢＳの追加は、特定の計画ツールを使用して計画される。このステップは、例えば、無線ネットワーク計画作業および同様に伝送ネットワーク作業などを含むことができる。伝送ネットワーク作業には、ＲＢＳがどのように運用支援システム（ＯＳＳ）に接続されるかを含む。即ち、この接続性も計画される必要がある。
【００１０】
２．ＲＢＳ（または３ＧＰＰ技術仕様書での呼び方ではノードＢ）は、最初、共通データで構成される。このデータは全ＲＢＳに共通であり、１つの意図は、以降のステップで必要とされる構成作業をできるだけ少なくすることである。このステップは、ハードウェアを出荷する前に、工場または他の中央の施設で既に実行されていてもよい。
【００１１】
３．ＲＢＳは今や決められた設置場所にある。ＲＢＳにおけるＲＮＣ（およびＯＳＳ）向けの接続に必要な伝送はどれも、ローカル構成ツールを使用して手作業で決められる。このステップは、ＲＮＣノードとＯＳＳノードの構成も一部含んでもよい。
【００１２】
３ａ．ステップ３の結果として、ＲＢＳはＲＮＣとＯＳＳの両方に接続される。
【００１３】
４．例えば、ハードウェアなどの他のローカル構成が実行される。
【００１４】
５．ＲＢＳおよびそれが提供するマクロセルが構成され、ＯＳＳから起動される。
【００１５】
この時点でＲＢＳは動作可能である。
【００１６】
６．このＲＢＳに関連するすべてのＯ＆Ｍは、上記ステップ３で確立された接続を使用して実行される。これには、例えば、警報イベントやログ処理などの故障管理と、例えば、ソフトウェアアップグレードなどの構成管理と、例えば、パフォーマンス統計などのパフォーマンス管理とを含む。
【先行技術文献】
【特許文献】
【００１７】
【特許文献１】国際公開第２００５／０５７９７５号パンフレット
【発明の概要】
【発明が解決しようとする課題】
【００１８】
移動通信ネットワークは、新しいセルがネットワークに導入されるにつれて、急速に拡大する。移動通信ネットワークにおける増加している基地局（ＢＳ）の管理が、問題になってきている。ＲＢＳが多いことは、ＯＳＳが大容量である要件を加えるだろう。ＲＢＳが多いことは、ＯＳＳ要員がＲＢＳの本当の問題を見つけるのを難しくする恐れもある。
【課題を解決するための手段】
【００１９】
本発明の目的は、無線通信ネットワークの新しいアーキテクチャを提供することと、そのようなネットワークのアクセスポイントの保守運用方法を提供することである。
【００２０】
本発明の実施例では、無線通信ネットワークのアクセスポイントの保守運用方法が説明される。アクセスポイントは、無線ネットワークをコアネットワークに接続するために使用される。その方法は、オンデマンドでトリガされるアクセスポイント状態情報要求をネットワークノードで受信する第１の工程を備える。その要求は、アクセスポイントアイデンティティ情報を含む。次の工程として、そのネットワークノードは、アクセスポイントがネットワーク内に登録されているかどうかの調査を担当する。このことは、受信したアクセスポイントアイデンティティ情報を使用して実行される。アクセスポイントがネットワーク内に登録されている場合、アクセスポイントアドレス情報がデータベースから取り出され、そのアドレス情報はアクセスポイントと接続を確立するために使用される。次いでネットワークノードは、アクセスポイント状態情報を受信でき、この後、この情報は応答メッセージを送信するために使用される。
【００２１】
本発明のさらなる実施例では、オンデマンドでトリガされるアクセスポイント状態情報要求は、エンドユーザによって開始される。
【００２２】
本発明の別の実施例では、無線ネットワークをコアネットワークに接続するアクセスポイントを有する無線通信ネットワーク用のネットワークノードが説明される。そのネットワークノードは、オンデマンドでトリガされるアクセスポイント状態情報要求を受信する第１の受信機を有する。その要求は、アクセスポイントがネットワーク内に既に登録されているかどうかを調査するために調査取り出し機器で使用されるアクセスポイントアイデンティティを含む。アクセスポイントがネットワーク内に登録されている場合、アクセスポイントへの接続を設定する接続確立機器により使用されるアクセスポイントアドレス情報を取り出す。そのネットワークノードでは、第２の受信部が、アクセスポイント状態情報を受信するために使用される。この後、そのアクセスポイントの状態は、オンデマンドでトリガされる要求に対する応答として転送される。
【００２３】
本発明のさらに別の実施例では、フェムトセルとも呼ばれる狭いエリアの無線通信ネットワークをコアネットワークに接続するアクセスポイントが説明される。その接続はフェムトＲＮＣによって確立され、そのＲＮＣはフェムトセルの制御を担当する。そのアクセスポイントは、アクセスポイントを登録するためフェムトＲＮＣへの登録メッセージの送信に使用する登録機器を含む。その登録は、最初の起動手順の一部である。そのアクセスポイントはさらに、フェムトＲＮＣから構成データをダウンロードするダウンロード機器を含む。オンデマンドでトリガされるアクセスポイントに関する状態情報要求を起動するために、トリガ機器がアクセスポイントの一部として使用される。その要求はまた、アクセスポイントアイデンティティ情報も含む。そのアクセスポイントには送信機が含まれており、オンデマンドでアクセスポイントの状態チェックを実行するようにネットワークノードに求める要求をネットワークノードに送信する。アクセスポイントはまた、アクセスポイント状態情報を含む応答を受信するために使用する受信機も含んでいる。
【図面の簡単な説明】
【００２４】
【図１】従来技術のネットワークに関連する管理作業を図示する信号図である。
【図２】本発明の実施例を示すブロック図である。
【図３】管理作業を実行するための本発明の実施例を示す信号図である。
【図４】本発明の実施例に従う方法を示すフローチャートである。
【図５】管理作業を実行するための本発明の別の実施例を示す信号図である。
【図６】本発明の実施例に従うアクセスポイントとネットワークノードをを示すブロック図である。
【発明を実施するための形態】
【００２５】
本願の発明者らは、住宅または狭いエリアに、小無線基地局（ＲＢＳ）を使用して限られた数のユーザ向けの３Ｇカバレッジを提供可能な手法を見つけるために調査を行った。この種の小エリア無線基地局を、ここではホーム３Ｇアクセスポイント（Ｈ３ＧＡＰ）と呼ぶが、異なる環境ではフェムトＲＢＳと呼ぶこともある。Ｈ３ＧＡＰは、個人用住宅および小規模事務所セグメントを主な対象とし、１つの利点は、既存のどの３Ｇ電話機もこのような環境で動作するので、代替アクセス技術への投資またはハンドセットにＷＬＡＮ／ＵＭＡ／ＧＡＮの必要がないことである。３Ｇ標準の例は、広帯域符号分割多元接続（ＷＣＤＭＡ）、ＣＤＭＡ２０００、及び時分割同期符号分割多元接続（ＴＤ−ＳＣＤＭＡ）である。
【００２６】
本明細書に記載の本発明は、ＷＣＤＭＡを使用するシナリオに主に関係があるが、他の場合にも適用できよう。例えば、同様の解決手段は、ＧＳＭ、ＣＤＭＡ２０００またはＴＤ−ＳＣＤＭＡ用に開発されてもよい。本明細書では、本発明のより容易な開示とより良く理解のためにＷＣＤＭＡシナリオが主に使用される。
【００２７】
Ｈ３ＧＡＰは、エンドユーザに普通のＷＣＤＭＡカバレッジを提供し、ある種のＩＰベースの伝送を使用して無線ネットワーク制御装置（ＲＮＣ）に接続される。提供されるカバレッジエリアは、そのカバレッジエリアがマクロセルのエリアに比べて比較的小さいことを示すためにフェムトセルと呼ばれる。ＩＰベースの伝送に対する一つの代替手段は、Ｈ３ＧＡＰをＲＮＣに接続するために、固定ブロードバンドアクセス（ｘＤＳＬ、ＣＡＴＶ等のようなもの）を使用することである。別の代替手段は、例えば、ＨＳＤＰＡおよびエンハンストアップリンクなどの移動体ブロードバンドアクセスを使用することであろう。Ｈ３ＧＡＰは、このようなシステムに特別の必要性を生み出すプラグアンドプレイ手法で、エンドユーザによって設置および管理される。
【００２８】
本発明の実施例では、無線通信ネットワークにおいて、その数が急速に増加している相当数のアクセスポイントの保守運用を実施する方法を説明する。
【００２９】
本発明の別の実施例では、エンドユーザによって設置され制御される多数のアクセスポイントの保守運用を実施する方法が提供される。
【００３０】
図２は、ホーム３Ｇアクセスポイントを含むＷＣＤＭＡネットワークを示す、本発明の実施例に従うブロック図である。無線通信ネットワーク１は、標準のＩｕインタフェースを使用して無線ネットワーク制御装置（ＲＮＣ）３に接続されるコアネットワーク（ＣＮ）２を含む。二者択一的に、そのＲＮＣは、マクロＲＮＣとフェムトＲＮＣとの内少なくともいずれかである。ＲＮＣは、そのＲＮＣに接続されるすべての無線基地局、つまり、マクロ無線基地局もフェムト無線基地局も制御する。その図ではＲＮＣ３は、マクロＲＢＳ４と、Ｈ３ＧＡＰ５のグループに属する１つ以上のＨ３ＧＡＰ６とに接続されている。Ｈ３ＧＡＰとＲＮＣとの間のインタフェースは、Ｉｕｂ＋インタフェースまたは拡張Ｉｕｂインタフェースであり、Ｈ３ＧＡＰとＲＮＣとの間にＩＰ接続を提供するＩＰネットワークを使用して転送される。このＩＰネットワークは保護されていないＩＰネットワークで構成されてもよいので、ＲＮＣとＨ３ＧＡＰとの間に機密保護機構が含まれる。ＲＮＣ３とマクロＲＢＳ４との間の通信は、ＩＰベースまたはＩＰ／ＡＴＭベースであり、そのインタフェースはＩｕｂである。マクロＲＢＳ４は、マクロセル７内の１つ以上の移動体電話９に対してアクセスポイントとして動作している。Ｈ３ＧＡＰ５のグループは、フェムトセル８内の移動体電話に対してアクセスポイントとして動作している。ＲＮＣ３はまた、マクロＲＢＳ４経由でＨ３ＧＡＰ６とも通信してもよい。このようにして、Ｈ３ＧＡＰは、マクロＲＢＳをコアネットワークへの無線アクセスポイントとして使用する。
【００３１】
本発明の別の実施例では、ＣＮ２は、図中の破線の２つのＲＮＣであるマクロＲＮＣ１０とフェムトＲＮＣ１１にも接続されてもよい。破線で示すように、マクロＲＮＣ１０はマクロ無線基地局であるマクロＲＢＳを制御し、フェムトＲＮＣはフェムトＲＢＳであるＨ３ＧＡＰを制御する。マクロＲＮＣとフェムトＲＮＣは、必要であれば、アクセスポイントに関する情報を交換するだろう。ＯＳＳ１２は通常、アクセスポイントであるマクロＲＢＳの管理を実行する。Ｈ３ＧＡＰマネージャ１３は、Ｈ３ＧＡＰの管理を担当する。ＯＳＳおよびＨ３ＧＡＰマネージャはスタンドアロンノードでもよいし、ＲＮＣ３またはＣＮ２のような他のノードの一部でもよい。ＯＳＳもＨ３ＧＡＰマネージャも、ネットワーク１における分散プログラムでもよい。
【００３２】
Ｈ３ＧＡＰの管理は、マクロＲＢＳ（大きなエリアであるマクロセルをカバーするＲＢＳ）の管理とは異なる。マクロＲＢＳは通常、マクロＲＢＳのアクティブな監視を実行するＯＳＳに接続されている。Ｈ３ＧＡＰの管理とマクロＲＢＳの管理の主な違いには、以下のものがある。
【００３３】
・Ｈ３ＧＡＰは、マクロＲＢＳに関して設置、移動、保守およびスイッチのオン／オフの作業を実行する操作要員とは対照的にエンドユーザによって、設置され、移動され、保守され、スイッチのオン／オフが行われる。
【００３４】
・Ｈ３ＧＡＰの管理は通常、操作要員によって計画されない。
【００３５】
・設置されるＨ３ＧＡＰの数は、多くの場合に設置されるマクロＲＢＳ数より少なくとも２〜３倍多い。
【００３６】
Ｈ３ＧＡＰは、例えば、保守運用（Ｏ＆Ｍ）などの構成を少なくするために、パワーオンシーケンスの一部として、例えば、自動的にＯＳＳに接続できよう。
【００３７】
エンドユーザはＨ３ＧＡＰの制御をするので、例えば、エンドユーザが他のデバイスに電源コンセントが必要で少しの間Ｈ３ＧＡＰの電源を切る場合、或は、関連するヒューズが飛ぶ場合、または他のエンドユーザに関係する理由などで、イベントまたは警報がＯＳＳでトリガされるのは非常に望ましくない。発生する可能性があり、結果としてＯＳＳを過負荷にする不要なシグナリングを相当増やすことになるエンドユーザ関連の警報イベントは多くある。
【００３８】
Ｈ３ＧＡＰが多いことは、ＯＳＳがＨ３ＧＡＰを能動的に監視している場合、ＯＳＳを大容量にする要件を加えることになろう。なぜなら、Ｈ３ＧＡＰとＯＳＳとの間の情報および警報イベントのシグナリングが多くなり過ぎるからである。数の多さは、多数のＨ３ＧＡＰに属する特定のＨ３ＧＡＰの本当の問題をＯＳＳ要員が見つけることも難しくする恐れがある。
【００３９】
従って、本願の発明者たちは、新しく提案されたＨ３ＧシステムにおいてＨ３ＧＡＰが多数ある状況でＯ＆Ｍを実行することに問題があるだろうことを認識し、それ故、このような問題を避けるか、或は少なくとも軽減するために、本発明に従う解決策を提案するものである。本発明の一実施例は、このようなシステムでのＯ＆Ｍの実行を可能にする。
【００４０】
図３は、多数のアクセスポイントを有する通信ネットワークで管理作業を実行するための本発明の実施例を示す信号図である。この信号図は、以下のステップを図示している。
【００４１】
１．最初に“ノードＸ”の電源が入れられる。ノードＸは、カバレッジセル内の移動体電話または移動体機器に通信サービスを提供するどのようなタイプのノードでもよい。電源が入れられると、ノードＸは、このノードタイプに対して定められた立ち上げ動作を実行するが、この立ち上げ動作はノードのプロバイダが予め定め設定している。立ち上げの一部として、ノードＸはネットワーク中央制御ノードに対する識別子を動的に構築するか、または、ノードＸは中央ノードに関する情報で既に事前構成されている。
【００４２】
２．ノードＸは自動構成されることが好ましい。このステップは中央ノードにより調整でき、次いで、その中央ノードは、中央ノードが制御するアクセスポイントであるノードＸで使用される特定の構成設定を選択する。あるいは、このステップは、アクセスポイントでローカルに行うことができよう。両方の場合とも、ノードＸは中央ノードに接続し、自分のアドレス情報を中央ノードに提供する。
【００４３】
以下のステップに応じて、ノードＸがアクティブである限りノードＸと中央ノードとの間の接続は保持されるか、或は、最初の立ち上げ手順後この接続は解放されてもよい。
【００４４】
３．中央ノードは、ノードＸがどの中央ノードに接続されているかに関する情報でデータベースを更新する。ノードを一意に識別する識別子の中には、ノードＸと中央ノードの両方に対して使用されるものがある。
【００４５】
４．項目３の代わりに、中央ノードは、ノードＸのＩＰアドレス情報でデータベースを更新する。
【００４６】
５．アクセスポイントであるノードＸに問題を抱え困っている顧客は、事業者の顧客ケアサービス担当に電話し、ノードＸの状態情報を要求する。その要求には、ノードＸの識別情報を含む。その要求は、例えば、ノードＸのボタン、事業者へのショートメッセージサービス（ＳＭＳ）、中央ノードへのＳＭＳ、電子メールなどの多くのやり方でトリガされる。
【００４７】
６．ノードＸ管理用のアプリケーションが、要求受け付け後、この場合、顧客サービスケアによって起動される。
【００４８】
７．その要求の中の識別子がノードＸを見つけるために使用される。顧客ケアサービスは、起動したアプリケーションに識別子を提供する。
【００４９】
８．アプリケーションは、顧客ケアサービスが提供する識別子を使用して、データベースからノードＸのアドレス情報を取り出す。
【００５０】
９．アプリケーションは、２つの異なる代替手段を使用してノードＸへの接続確立を開始する。
【００５１】
中央ノードの情報がノードＸの所在を確認するために使用される場合、即ち、上記ステップ３の場合、アプリケーションは示された中央ノードに連絡し、正しいノードであるノードＸに接続要求を中継するように依頼する。これは、中央ノードとノードＸとの間の既存インタフェースの一部であっても良い。
【００５２】
ノードＸのアドレス情報が使用される場合（即ち、上記ステップ４の場合）、アプリケーションは、ＩＰアドレス情報を使用して示されたノードＸに直接連絡し、ノードＸに接続要求を直接送信する。ノードＸのアドレス情報は、アプリケーションから経由可能である必要がある。これを成し遂げるには様々なメカニズムがある。１つは、例えば、ノードＸと中央ノードの近くに設置されたセキュリティゲートウェイ（ＳＥＧＷ）との間にＩＰセキュリティ（ＩＰｓｅｃ）接続を使用することでだろう。この場合、アプリケーションから着信する接続要求をノードＸに特定の（例えば、ＴＣＰ）ポートを聴取させるのが安全であろう。別の代替手段は、ノードＸに構成されているか、または立ち上げ手順中に伝達された１つ以上の経路選択可能な公開アドレスを使用することだろう。
【００５３】
１０．接続が、ノードＸとアプリケーションとの間に確立される。
【００５４】
１１．ノードＸの状態情報が調査される。利用可能な情報ログがノードＸから読み取られ、アプリケーションで受信される。
【００５５】
１２．応答がエンドユーザに返信される。その応答にはノードＸの状態情報を含む。応答は、例えば、エンドユーザの移動体端末に直接に、ノードＸに接続するコンピュータへの電子メールとして、ノードＸの小さなディスプレイに提示されるメッセージとして、ＳＭＳとして、操作者からの直接の電話として等、多くのやり方で送信されてもよい。
【００５６】
本発明の別の実施例では、アプリケーション、データベースおよび電子顧客ケアサービスプログラムは、中央ノード内に配置される要素である。従って、中央ノードは、上記およびアクセスポイントノードＸの保守運用の実行に必要な制御ステップのすべてを実行するノードである。
【００５７】
本発明の別の実施例では、アプリケーション、データベースおよび電子顧客ケアサービスプログラムは、コアネットワーク内の分散プログラムである。電子顧客ケアサービスプログラムは、電子顧客ケアサービスプログラムに直接宛てられた特定の要求メッセージによりトリガされるプログラムである。その要求メッセージは、アプリケーションを起動／トリガするために必要な特定の要素とともに含まれる。
【００５８】
図４は、本発明の実施例を示すフローチャートであり、ネットワークノードはアクセスポイントの保守運用を実行するすべての手段を有する。そのネットワークノードは、スタンドアロンノードとして無線通信ネットワークの中心に配置されてもよいし、またネットワークノードは、ＲＮＣ３、ＣＮ２、ＯＳＳ１２、およびＨ３ＧＡＰマネージャ１３の一部として存在してもよい。そのネットワークノードの機能は、無線通信ネットワークのネットワークノードの間にも分散されてもよい。このフローチャートは、以下のステップを示す。
【００５９】
１．コアネットワークのネットワークノードにおいて、オンデマンドでトリガされるアクセスポイント状態情報要求を受信すること。ここで、その要求は、アクセスポイントアイデンティティ情報を含む。
【００６０】
２．受信したアクセスポイントアイデンティティ情報を使用して、アクセスポイントがネットワーク内に登録されているかどうかをネットワークノードにより調査すること。その要求は、登録情報を見つけるためにマッチング手順が実行されるデータベースに送信される。その調査は、アプリケーションを起動することにより開始されてもよい。
【００６１】
３．アクセスポイントがネットワーク内に登録されていない場合、このことは見つけるべきアドレスがないことを意味しており、ネットワークノードは、失敗メッセージまたは登録要求を含む応答を送信する。あるいは、何の応答も全然送信されない。
【００６２】
４．アクセスポイントがネットワーク内に登録され、アドレスが見つけられる場合、ネットワークノードはアクセスポイントアイデンティティ情報を使用して、データベースからアクセスポイントアドレス情報を取り出す。
【００６３】
５．ネットワークノードは、取り出したアクセスポイントアドレス情報を使用し、アクセスポイントへの接続を確立する。その接続は、アクセスポイントのＩＰアドレスを使用してアクセスポイントに直接セットアップされてもよいし、また、別のノード、例えば、ＲＮＣによってセットアップされてもよい。
【００６４】
６．状態の調査が実行され、状態情報がネットワークノードで受信される。
【００６５】
７．ネットワークノードは、オンデマンドでトリガされる要求に対して、アクセスポイント状態情報を含む応答を送信する。
【００６６】
図５において、本発明の別の実施例が開示されている。そこで、アクセスポイントは、ホーム３Ｇアクセスポイントと（Ｈ３ＧＡＰ）とも呼ばれるフェムト無線基地局であるフェムトＲＢＳである。ホーム３Ｇアクセスポイントは、フェムト無線ネットワーク制御装置であるフェムトＲＮＣによってコアネットワークに接続される。Ｈ３ＧＡＰは、立ち上げ時に自動的にフェムト無線ネットワーク制御装置に登録し、構成データをダウンロードする。このことは、Ｈ３ＧＡＰのすべては、オンデマンドで要求がトリガされるとき、ネットワーク内に登録されることを意味する。アクセスポイントとフェムト無線ネットワーク制御装置であるフェムトＲＮＣとの間の接続は、ＩＰベースの接続であり、アクセスポイントアイデンティティは、ＩＰアドレスかまたはアクセスポイントを制御するフェムトＲＮＣのアドレスである。通信ネットワークは、ＷＣＤＭＡネットワークである。そのネットワークノードは、運用支援システムノード、改良ＲＮＣ、Ｈ３ＧＡＰマネージャ、またはコアネットワーク内の分散プログラムである。
【００６７】
以下の例では、Ｈ３ＧＡＰの支援システムは、Ｈ３ＧＡＰマネージャである。Ｈ３ＧＡＰマネージャは、スタンドアロンシステムでも良いし、または、既存の支援システムに内蔵されていても良い。本発明は、新たに導入されるホーム３Ｇアクセスデータベース（Ｈ３ＧＡ  ＤＢ）と呼ばれる論理ネットワークエンティティも備える。このエンティティは、Ｈ３ＧＡＰに関する情報を格納するデータベースであり、スタンドアロンか、または、例えば、ＯＳＳノードもしくはＲＮＣノードなどに内蔵される。
【００６８】
Ｈ３ＧＡＰは、事前に構成されたＨ３ＧＡＰアイデンティティ（Ｈ３ＧＡＰ−ＩＤ）、好ましくはハードウェアアイデンティティを使用して識別される。Ｈ３ＧＡＰ−ＩＤも、エンドユーザから見えるようにされる。
【００６９】
以下の原理および要件が、Ｈ３ＧＡＰマネージャに適用できよう。
【００７０】
ａ．各Ｈ３ＧＡＰは、Ｈ３ＧＡＰ−ＩＤで識別される。Ｈ３ＧＡＰマネージャは、使用されているすべての可能なＨ３ＧＡＰ−ＩＤの値を知ることができるか、エンドユーザが顧客ケアサービス担当に電話するときこの情報を提供するかの内、少なくともいずれかがなされる。
【００７１】
ｂ．Ｈ３ＧＡＰは、Ｈ３ＧＡＰマネージャから継続的に監視されない。代わりに、オンデマンドでＨ３ＧＡＰマネージャに接続するように各Ｈ３ＧＡＰに要求するか、または必要時にＨ３ＧＡＰマネージャからＨ３ＧＡＰに接続させることが可能である。この原理はこの明細書の開示では“Ｏ＆Ｍオンデマンド”と呼ぶ。
【００７２】
ｃ．“Ｏ＆Ｍオンデマンド”原理を使用して、Ｈ３ＧＡＰから関連する統計、警報、エラー報告およびログを読み出すことが可能である。
【００７３】
ｄ．“Ｏ＆Ｍオンデマンド”原理を使用して、Ｈ３ＧＡＰから関連する操作パラメータを読み取り設定することが可能である。
【００７４】
ｅ．Ｈ３ＧＡ  ＤＢの中から特定のＨ３ＧＡＰに関して定められているコンテンツを読み出すことが可能である。例えば、アクセス制御がＨ３ＧＡＰに関して定められている場合、国際移動電話加入者ＩＤ（ＩＭＳＩ）情報と移動電話国際ＩＳＤＮ番号（ＭＳＩＳＤＮ）情報の両方とも、可能なときはいつでも利用可能にされるべきである。この情報は、Ｈ３ＧＡＰマネージャにおいても利用可能であることが好ましく、これは“Ｏ＆Ｍオンデマンド”原理を使用して行われる。
【００７５】
ｆ．Ｈ３ＧＡＰは、Ｈ３ＧＡＰマネージャに継続的に接続されていないので、警報およびエラー報告は、“Ｏ＆Ｍオンデマンド”原理に基づいて、要求がある場合だけ、Ｈ３ＧＡＰマネージャに送信される。
【００７６】
ｇ．Ｈ３ＧＡＰソフトウェア（ＳＷ）は、Ｈ３ＧＡＰマネージャからアップグレード可能であるべきである。例えば、実際に起こる特定のＳＷリリースまたはＨ３ＧＡＰ−ＩＤの特定の範囲などによって定義される複数のＨ３ＧＡＰを対象にした、ある種のバッチアップグレードを定めることも必要である。
【００７７】
図５は、上記のような管理作業を実行するための本発明の実施例を示す信号図である。信号図は以下のステップを図示している。
【００７８】
１．最初にＨ３ＧＡＰが電源を入れられ、決められた立ち上げ動作を実行する。
【００７９】
２．Ｈ３ＧＡＰは、フェムトＲＮＣに接続され、自動構成される。
【００８０】
３．フェムトＲＮＣはＨ３ＧＡＰがどのフェムトＲＮＣに接続されているかの情報でＨ３ＧＡ  ＤＢを更新する。Ｈ３ＧＡＰ−ＩＤとフェムトＲＮＣ識別子が使用される。
【００８１】
４．項目３の代わりに、フェムトＲＮＣは、Ｈ３ＧＡＰ  ＩＰアドレス情報でＨ３ＧＡ  ＤＢを更新する。
【００８２】
５．Ｈ３ＧＡＰに問題を抱えて困っている顧客は、事業者の顧客ケアサービスに連絡する。その顧客は、Ｈ３ＧＡＰの識別子としてＨ３ＧＡＰ−ＩＤを提供する。顧客ケアサービスは、特定のメッセージを受信する電子プログラムでもよく、そのメッセージは、アプリケーションの実行を自動的にトリガするための所定の要素および情報を含む。別の代替手段では、顧客ケアサービスはエンドユーザが電話している担当者である。
【００８３】
困っている顧客が顧客サービス担当に電話することに対する別の代替手段は、以下の通りである。Ｈ３ＧＡＰは、例えば、困っている顧客が使用してもよい“自動Ｈ３ＧＡＰ  Ｏ＆Ｍ”をトリガするボタンなどを装備する。
【００８４】
エンドユーザがこのボタンを押すと、Ｈ３ＧＡＰは、直接Ｈ３ＧＡＰマネージャに連絡する。Ｈ３ＧＡＰマネージャのアドレス情報は、Ｈ３ＧＡＰに事前構成されていてもよいし、また、そのアドレス情報は、自動構成段階中、即ち、上記ステップ２の間にＨ３ＧＡＰに信号で送られてもよい。
【００８５】
Ｈ３ＧＡＰが直接Ｈ３ＧＡＰマネージャに連絡する代わりに、Ｈ３ＧＡＰマネージャのアドレスを知っているか又はＨ３ＧＡＰマネージャにたぶん既に接続しているフェムトＲＮＣに連絡しても良い。これは、例えば、新しいＮＢＡＰ（ノードＢアプリケーション部）メッセージであるＨ３ＧＡＰの“CONNECTION REQUEST TO ELEMENT MANAGER（エレメントマネージャへの接続要求）”などをフェムトＲＮＣに送信することにより行うことができよう。
【００８６】
６．事業者の顧客ケアサービス担当者が、Ｈ３ＧＡＰマネージャアプリケーションを開始する。あるいは、アプリケーションが自動的にトリガされる。
【００８７】
７．エンドユーザが提供したＨ３ＧＡＰ−ＩＤは、Ｈ３ＧＡＰを見つけ、それへの接続を要求するために使用される。
【００８８】
８．Ｈ３ＧＡＰマネージャは、関連するフェムトＲＮＣ情報またはＨ３ＧＡＰのＩＰアドレス情報を取り出す。
【００８９】
９．フェムトＲＮＣ情報が使用される場合、Ｈ３ＧＡＰマネージャは、示されたフェムトＲＮＣに連絡し、接続要求を正しいＨ３ＧＡＰに中継するように依頼する。後者のステップは、“拡張Ｉｕｂ”インタフェースの一部だろう。
【００９０】
Ｈ３ＧＡＰ  ＩＰアドレス情報が使用される場合、Ｈ３ＧＡＰマネージャはＩＰアドレス情報を使用して示されたＨ３ＧＡＰに直接連絡し、接続要求をＨ３ＧＡＰに送信する。ＩＰｓｅｃ接続がＨ３ＧＡＰとＳＥＧＷとの間で使用されるので、Ｈ３ＧＡＰマネージャから着信する接続要求について特定の（例えば、ＴＣＰ）ポートでＨ３ＧＡＰに聴取させることも安全なはずである。
【００９１】
１０．Ｈ３ＧＡＰとＨ３ＧＡＰマネージャとの間の接続が確立される。
【００９２】
１１．作業者はＨ３ＧＡＰの状態を調査し、利用可能な情報ログを読み出してもよい。
【００９３】
１２．応答は、例えば、フェムトＲＮＣなどによって、エンドユーザ、Ｈ３ＧＡＰディスプレイ、または直接エンドユーザ端末に返信される。その応答は、Ｈ３ＧＡＰ状態情報を含む。その応答は、例えば、エンドユーザ移動体端末に直接、Ｈ３ＧＡＰに接続するコンピュータに電子メールとして、Ｈ３ＧＡＰの小さなディスプレイに提示されるメッセージとして、ＳＭＳで、ＰＯＴＳを使用して運用者から直接電話等のような多くのやり方で送信されてもよい。
【００９４】
図５のステップ９のより詳細な仕様について、以下に説明する。
【００９５】
ステップ９は、以下のようにより詳細なやり方で定められる。留意することは、このことが当てはまるのは、フェムトＲＮＣ情報が図５のステップ９に規定されるように使用される場合、即ち、Ｈ３ＧＡＰマネージャが示されたフェムトＲＮＣに連絡し、示されたフェムトＲＮＣに正しいＨ３ＧＡＰに接続要求を中継するように依頼する場合だけであることである。
【００９６】
フェムトＲＮＣからＨ３ＧＡＰに送信される要求は、“ＵＴＲＡＮ  ＩｕｂインタフェースノードＢアプリケーション部（ＮＢＡＰ）シグナリング”仕様（３ＧＰＰ  ＴＳ  ２５．４３３）の一部として標準化できよう。
【００９７】
追加されるメッセージは、例えば、“CONNECT TO ELEMENT MANAGER（エレメントマネージャに接続）”などと呼ばれ、エレメントマネージャの必要なアドレス情報、例えば、ＩＰアドレスおよびＴＣＰポートなどを含むだろう。
【００９８】
本発明の別の実施例では、メッセージ“CONNECT TO ELEMENT MANAGER（エレメントマネージャに接続）”は何の情報要素も含まず、必要なアドレス情報は、自動構成の一部としてステップ２で既に信号で送られている。
【００９９】
Ｈ３ＧＡＰは、Ｈ３ＧＡＰマネージャに接続されると、普通のマクロＲＢＳのように動作し始めてもよく、例えば、Ｈ３ＧＡＰマネージャにすべての新しい警報およびログを送信してもよい。さらに、Ｈ３ＧＡＰは、格納されたすべてのログをＨ３ＧＡＰマネージャに送信し始めることができよう。
【０１００】
Ｈ３ＧＡＰへの接続が切断されるとき、Ｈ３ＧＡＰは、以前の操作モード、例えば、ローカルだけで警報、カウンタ、およびログを格納することなどに戻るべきである。
【０１０１】
図６は、本発明の実施例に従うアクセスポイントとネットワークノードを図示するブロック図である。本発明のさらなる実施例では、無線通信ネットワーク１は、ＲＮＣ経由で互いに通信する複数のアクセスポイントと複数のネットワークノードとを含む。図６は、１つのアクセスポイント、１つのＲＮＣ、および１つのネットワークノードだけを備えるネットワークの単純化した図だけを示している。既存のネットワークでは、１つ以上のＲＮＣにより制御され、１つ以上のネットワークノードによって管理される多くのアクセスポイントがある。
【０１０２】
図６によればアクセスポイント２０は、最初の起動時、アクセスポイント２０をフェムト無線ネットワーク制御装置であるフェムトＲＮＣ３０に登録する登録機器２１を備える。これは、自動的に実行されてもよいし、またエンドユーザがトリガしてもよい。アクセスポイント２０はさらに、フェムトＲＮＣ３０から構成データをダウンロードするために使用するダウンロード機器２２と、アクセスポイント２０に関する、オンデマンドでトリガされる状態情報要求を開始するために使用するトリガ機器２３とをさらに備える。その要求はアクセスポイントアイデンティティ情報を含む。アクセスポイント２０の中の送信機２４は、ネットワークノード４０にアクセスポイント２０のオンデマンドの状態チェックを実行するように依頼する要求をネットワークノード４０に送信するために使用され、受信機２５は、オンデマンドでトリガされた要求に応答してネットワークノード４０から送信されるアクセスポイント状態情報を含む応答を受信するために含まれている。
【０１０３】
受信機２５は、アクセスポイント２０にアプリケーション４６への接続を依頼するメッセージをフェムトＲＮＣ３０から受信することを担当している。ここで、アプリケーションは状態チェックを実行する。アプリケーション４６は、フェムトＲＮＣ３０の一部でもよいし、ネットワークノード４０に含まれてもよいし、或は、Ｈ３ＧＡＰマネージャ１３に含まれてもよい。
【０１０４】
メッセージは、前述のように“CONNECT TO ELEMENT MANAGER（エレメントマネージャに接続）”メッセージとして標準化されてもよい。
【０１０５】
アクセスポイントは、状態情報を、例えば、メッセージとして表示するディスプレイ２６も備えてもよい。ディスプレイ２６は、エンドユーザがとるべき行動に関連する情報を表示するためにも使用されてもよい。
【０１０６】
図６のネットワークノード４０は、図２に見られるように、いくつかのアクセスポイント５を管理する。図６は、簡単なやり方で本発明を説明するために必要な無線通信ネットワーク１の要素だけを示している。ネットワークノード４０は、オンデマンドでトリガされるアクセスポイント２０の状態情報要求を受信する第１の受信機４１を備える。その要求は、アクセスポイント２０のアイデンティティを含む。ネットワークノード４０はまた、アクセスポイント２０がネットワーク１内に既に登録されているかどうかを調査するために使用する調査及び取り出し機器４２も備える。これは、受信したアクセスポイントアイデンティティを使用して実行される。アクセスポイント２０がネットワーク１内に登録されている場合、アクセスポイント２０のアドレス情報が取り出される。接続確立機器４３は、アクセスポイント２０への接続をセットアップするために使用される。その接続は、取り出したアクセスポイント２０のアドレス情報に基づいて確立される。第２の受信機４４は、アクセスポイント２０の状態情報を受信するためにネットワークノード４０に含まれている。その状態情報は、アクセスポイント２０または状態チェックを実行するアプリケーション４６から直接受信されてもよい。応答機器４５は、応答メッセージの要求者への返信を担当する。そのメッセージはアクセスポイント２０の状態情報を含む。応答メッセージは、エンドユーザのオンデマンド状態要求端末またはデータベースに事前に格納されたデバイスアドレスに返信されてもよい。オンデマンドのトリガ要求には、応答がどのデバイスにどのように送信され提示されるかの情報も含んでもよい。
【０１０７】
添付の請求の範囲により規定される本発明の範囲から逸脱することなく、様々な修正および変更を本発明に対して行い得ることは、当業者なら理解するであろう。
【図１】
2009539303.tif 000003
【図２】
2009539303.tif 000004
【図３】
2009539303.tif 000005
【図４】
2009539303.tif 000006
【図５】
2009539303.tif 000007
【図６】
2009539303.tif 000008
【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
無線通信ネットワーク（１）において、複数の無線通信ネットワーク（８）をコアネットワーク（２）に接続する、狭いエリアの複数のアクセスポイント（５）の保守運用方法であって、
前記方法は、
アクセスポイント（６）の状態情報についての要求であり、エンドユーザにより開始され、オンデマンドでトリガされる、前記アクセスポイント（６）のアイデンティティ情報を含む要求を受信する工程と、
前記アクセスポイント（６）が前記ネットワーク（１）に登録されているかどうかを前記受信されたアクセスポイントのアイデンティティ情報を使用して調査する工程とを有し、
前記アクセスポイント（６）が前記ネットワーク（１）に登録されているなら、
前記アクセスポイントのアイデンティティ情報を用いてアクセスポイントアドレス情報をデータベースから取り出す工程と、
前記取り出されたアクセスポイントアドレス情報を用いて前記アクセスポイント（６）への接続を確立する工程と、
アクセスポイント状態情報を受信する工程と、
前記エンドユーザに応答メッセージを送信する工程とを実行することを特徴とする方法。
【請求項２】
前記調査する工程が、前記アクセスポイント（６）が前記ネットワーク（１）に登録されていないことを明らかにするなら、
前記要求に対して、失敗メッセージとアクセスポイントの登録要求との内の少なくともいずれかを含む応答を送信する工程をさらに有することを特徴とする請求項１に記載の方法。
【請求項３】
前記応答メッセージは前記アクセスポイント状態情報を含むことを特徴とする請求項１に記載の方法。
【請求項４】
前記確立された接続からの切断がなされたとき、前記アクセスポイントは、例えば、ただ局所的にのみ警告、カウント、ログを格納するなどの以前の動作モードに復帰することを特徴とする請求項１に記載の方法。
【請求項５】
前記複数のアクセスポイント（５）は、複数の無線フェムトネットワークをコアネットワークに接続するフェムト無線基地局、或は、Ｈ３ＧＡＰとして言及されるホーム３Ｇアクセスポイントであることを特徴とする請求項１に記載の方法。
【請求項６】
前記ネットワークノードは、特定の要求メッセージにより直接アドレスされて起動される電子機器の顧客ケアサービスプログラムに接続され、
前記要求メッセージはアプリケーションを起動／トリガするために必要とされる特定部を含むことを特徴とする請求項１に記載の方法。
【請求項７】
前記ネットワークノードは、Ｈ３ＧＡＰマネージャ（１３）、運用支援システムノード、或は、前記無線通信ネットワークに分散配置された機能を含むノードであることを特徴とする請求項１に記載の方法。
【請求項８】
前記Ｈ３ＧＡＰは少なくとも１つのフェムト無線ネットワーク制御装置（１１）（フェムトＲＮＣ）を介してコアネットワーク（２）に接続されることを特徴とする請求項５に記載の方法。
【請求項９】
前記複数のアクセスポイント（５）は、起動時に、自動的にフェムトＲＮＣに登録し、構成データをダウンロードすることを特徴とする請求項８に記載の方法。
【請求項１０】
前記複数のアクセスポイントと前記フェムト無線ネットワーク制御装置（フェムトＲＮＣ）との間の接続は、インターネット（ＩＰ）に基づいた接続であることを特徴とする請求項８に記載の方法。
【請求項１１】
前記アクセスポイントアドレス情報は、インターネット（ＩＰ）アドレス、或は、前記アクセスポイントを制御するフェムトＲＮＣのアドレスであることを特徴とする請求項８に記載の方法。
【請求項１２】
前記フェムトＲＮＣからＨ３ＧＡＰに送信される要求は、拡張Ｉｕｂインタフェース（Ｉｕｂ＋）の一部であることを特徴とする請求項８に記載の方法。
【請求項１３】
前記オンデマンドでトリガされる要求は発呼したり前記ネットワークノードにメッセージを送信するエンドユーザにより開始され、
前記エンドユーザは、
移動体と、
コンピュータと、
従来の電話サービス（ＰＯＴＳ）と、
前記アクセスポイントのボタンの
内の１つを用いることを特徴とする請求項１に記載の方法。
【請求項１４】
無線ネットワーク（８）をコアネットワーク（２）に接続する狭いエリアの複数のアクセスポイント（５）を有する無線通信ネットワーク（１）のネットワークノード（４０）であって、
前記ネットワークノード（４０）は、
エンドユーザによりトリガされ、オンデマンドでトリガされる要求であり、アクセスポイント（６）のアイデンティティを含むアクセスポイント状態情報の要求を受信する第１の受信機（４１）と、
前記受信したアクセスポイントのアイデンティティを用いて、前記アクセスポイント（６）が前記ネットワーク（１）内に既に登録されているかどうかを調査し、前記アクセスポイント（６）が前記ネットワーク（１）内に登録されている場合、アクセスポイントアドレス情報を取り出す調査取り出し機器（４２）と、
前記取り出されたアクセスポイントアドレス情報に基づいて、前記アクセスポイント（６）への接続をセットアップする接続確立機器（４３）と、
アクセスポイント状態情報を受信する第２の受信機（４４）と、
前記オンデマンドでトリガされる要求に対して、前記アクセスポイントアドレス情報を含む応答を送信する応答機器（４５）とを有することを特徴とするネットワークノード。
【請求項１５】
前記ネットワークノードは、単体のノード、Ｈ３ＧＡＰマネージャ、無線ネットワーク制御装置（３）の一部、前記コアネットワーク（２）の一部、或は、前記無線通信ネットワーク（１）の分散配置された機能であることを特徴とする請求項１４に記載のネットワークノード。
【請求項１６】
フェムトＲＮＣ（３０）を介して狭いエリアの無線通信ネットワーク（８）をコアネットワーク（２）に接続するアクセスポイント（２０）であって、
前記アクセスポイントは、
初期起動時に、前記アクセスポイント（２０）を登録するため前記フェムトＲＮＣ（３０）へ登録メッセージを送信する登録機器（２１）と、
前記フェムトＲＮＣ（３０）から構成データをダウンロードするダウンロード機器（２２）と、
エンドユーザによりトリガされる要求であって、アクセスポイントアイデンティティ情報を含む、オンデマンドでトリガするアクセスポイントに関する状態情報の要求を開始するトリガ機器（２３）と、
前記要求をネットワークノード（４０）に送信し、前記ネットワークノード（４０）がオンデマンドで前記アクセスポイント（２０）の状態チェックを実行するよう要求する送信機（２４）と、
前記オンデマンドでトリガされた要求に応答して送信される、アクセスポイント状態情報を含む応答を受信する受信機（２５）とを有することを特徴とするアクセスポイント。
【請求項１７】
前記アクセスポイント（２０）は、前記アクセスポイント状態情報を含む受信応答を表示するディスプレイ（２６）を有することを特徴とする請求項１６に記載のアクセスポイント。
【請求項１８】
前記アクセスポイント（２０）はホーム３Ｇアクセスポイント（Ｈ３ＧＡＰ）であることを特徴とする請求項１６に記載のアクセスポイント。
【請求項１９】
前記ネットワークノード（４０）はＨ３ＧＡＰマネージャ（１３）であることを特徴とする請求項１６に記載のアクセスポイント。
【請求項２０】
前記アクセスポイントと前記フェムトＲＮＣ（３０）との間の接続は、インターネットプロトコル（ＩＰ）に基づく接続であることを特徴とする請求項１６に記載のアクセスポイント。
【請求項２１】
前記アクセスポイントアドレス情報は、インターネットプロトコル（ＩＰ）アドレス、或は、前記アクセスポイント（２０）を制御する前記フェムトＲＮＣ（３０）のアクセスであることを特徴とする請求項１６に記載のアクセスポイント。
【請求項２２】
前記受信機は、状態チェックが実行される前に、そして、前記応答を受信する前に、前記アクセスポイント（２０）にアプリケーション（４６）に接続するよう要求するメッセージを受信することを含むことを特徴とする請求項１６に記載のアクセスポイント。
【請求項２３】
前記メッセージはＩｕｂインタフェースの拡張部に従って前記フェムトＲＮＣから受信することを特徴とする請求項２２に記載のアクセスポイント。
【請求項２４】
前記アクセスポイント（２０）は無線基地局であることを特徴とする請求項２２に記載のアクセスポイント。
【国際調査報告】
2009539303.tif 000009
2009539303.tif 000010
2009539303.tif 000011
2009539303.tif 000012